(57)【要約】      （修正有）【課題】被撮影者に対して操作案内や操作補助をするための支援情報の内容を、被撮影者に応じて切り替えることができる証明写真撮影装置を提供する。【解決手段】被撮影者を撮影して画像データを生成するデジタルカメラ３０と、当該生成された画像データに基づいて被撮影者の証明写真を作成するプリンタ部８０と、を備える証明写真撮影装置１において、被撮影者に対して所定の操作に関する支援を行うための支援情報を、所定の被撮影者の分類毎に異ならせて出力する出力部４０と、被撮影者に関する被撮影者情報を備えたＩＣチップから、被撮影者情報を取得する読取部９０と、読取部９０により取得された被撮影者情報に応じて被撮影者の分類を特定し、当該特定された被撮影者の分類に対応する支援情報を、出力部４０に出力させる出力制御プログラム１６ｂ１を実行した制御部１１と、を備えるよう構成した。【選択図】図２
2007322521.tif 000002
【特許請求の範囲】
【請求項１】
被撮影者を撮影して画像データを生成する撮影手段と、当該撮影手段により生成された画像データに基づいて当該被撮影者の証明写真を作成する作成手段と、を備える証明写真撮影装置において、
前記被撮影者に対して所定の操作に関する支援を行うための支援情報を、所定の被撮影者の分類毎に異ならせて出力する支援情報出力手段と、
前記被撮影者に関する被撮影者情報を備えた情報媒体から、当該被撮影者情報を取得する取得手段と、
前記取得手段により取得された被撮影者情報に基づいて前記被撮影者の分類を特定し、当該特定された被撮影者の分類に対応する支援情報を、前記支援情報出力手段に出力させる出力制御手段と、
を備えることを特徴とする証明写真撮影装置。
【請求項２】
請求項１に記載の証明写真撮影装置において、
前記支援情報は、所定の操作に関して前記被撮影者を支援するための音声情報を有し、
前記支援情報出力手段は、前記音声情報を出力する音声情報出力手段を備えることを特徴とする証明写真撮影装置。
【請求項３】
請求項１又は２に記載の証明写真撮影装置において、
前記支援情報は、所定の操作に関して前記被撮影者を支援するための画像情報を有し、
前記支援情報出力手段は、前記画像情報を出力する画像情報出力手段を備えることを特徴とする証明写真撮影装置。
【請求項４】
請求項１〜３の何れか一項に記載の証明写真撮影装置において、
前記情報媒体は、障害者用の杖に備えられていることを特徴とする証明写真撮影装置。
【請求項５】
請求項１〜４の何れか一項に記載の証明写真撮影装置において、
前記情報媒体は、携帯端末に備えられていることを特徴とする証明写真撮影装置。
【請求項６】
請求項５に記載の証明写真撮影装置において、
前記取得手段により前記情報媒体から特定の被撮影者情報が取得された場合に、前記携帯端末による動作指示に従って、当該証明写真撮影装置の所定の動作を制御する動作制御手段を備えることを特徴とする証明写真撮影装置。
【請求項７】
請求項１〜５の何れか一項に記載の証明写真撮影装置において、
前記取得手段により前記情報媒体から特定の被撮影者情報が取得された場合に、前記被撮影者の声による動作指示に従って、当該証明写真撮影装置の特定の動作を制御する動作制御手段を備えることを特徴とする証明写真撮影装置。
【請求項８】
請求項１〜７の何れか一項に記載の証明写真撮影装置において、
前記情報媒体は、身分証明書であること、或いは、当該身分証明書に備えられていることを特徴とする証明写真撮影装置。
【請求項９】
請求項８に記載の証明写真撮影装置において、
前記身分証明書は、発行申請時に証明写真の提出が必要な身分証明書であり、
前記取得手段は、前記身分証明書から、当該身分証明書の種類を判別するための判別情報を取得し、
前記取得手段により前記判別情報が取得された場合に、当該判別情報によって判別される身分証明書の発行申請時に必要な証明写真を、前記作成手段に作成させる作成制御手段を備えることを特徴とする証明写真撮影装置。
【発明の詳細な説明】
【技術分野】
【０００１】
本発明は、証明写真撮影装置に関する。
【背景技術】
【０００２】
従来、被撮影者を撮影して証明写真を作成する証明写真撮影装置や、被撮影者を撮影して写真シールを作成するプリントシール機などが知られている。
このような証明写真撮影装置等においては、例えば、被撮影者が所持するＩＣカードから所定の撮影料金を徴収したり、或いは、被撮影者が所持するＩＣカードに記憶された被撮影者固有の機能設定情報（カラーマネジメント情報、ポートレート撮影を最適化する設定に関する情報（被撮影者が好きな色調や表情の暈し（しわ抜き）などの設定に関する情報）等）を取得して、当該機能設定情報に基づいて装置内の機能設定を変更することができる証明写真撮影装置等も提案されている（例えば、特許文献１及び２参照）。
【０００３】
ところで、証明写真撮影装置等は、例えば、被撮影者を支援するために、音声ガイダンスや画像ガイダンスを出力して、当該証明写真撮影装置等を操作するための案内や補助を行うようになっている。
【特許文献１】特開２００１−１８４４０９号公報
【特許文献２】特開２００３−３１６８９２号公報
【発明の開示】
【発明が解決しようとする課題】
【０００４】
しかしながら、証明写真撮影装置等から出力される音声ガイダンスや画像ガイダンスの内容は一定しているため、被撮影者が、例えば、聴覚や視覚などの障害を持っている場合には、被撮影者を十分に支援することができないという問題がある。
【０００５】
本発明の課題は、被撮影者に対して操作案内や操作補助をするための支援情報の内容を、被撮影者に応じて切り替えることができる証明写真撮影装置を提供することにある。
【課題を解決するための手段】
【０００６】
上記課題を解決するために、請求項１に記載の発明は、
被撮影者を撮影して画像データを生成する撮影手段と、当該撮影手段により生成された画像データに基づいて当該被撮影者の証明写真を作成する作成手段と、を備える証明写真撮影装置において、
前記被撮影者に対して所定の操作に関する支援を行うための支援情報を、所定の被撮影者の分類毎に異ならせて出力する支援情報出力手段と、
前記被撮影者に関する被撮影者情報を備えた情報媒体から、当該被撮影者情報を取得する取得手段と、
前記取得手段により取得された被撮影者情報に基づいて前記被撮影者の分類を特定し、当該特定された被撮影者の分類に対応する支援情報を、前記支援情報出力手段に出力させる出力制御手段と、
を備えることを特徴とする。
【０００７】
請求項２に記載の発明は、
請求項１に記載の証明写真撮影装置において、
前記支援情報は、所定の操作に関して前記被撮影者を支援するための音声情報を有し、
前記支援情報出力手段は、前記音声情報を出力する音声情報出力手段を備えることを特徴とする。
【０００８】
請求項３に記載の発明は、
請求項１又は２に記載の証明写真撮影装置において、
前記支援情報は、所定の操作に関して前記被撮影者を支援するための画像情報を有し、
前記支援情報出力手段は、前記画像情報を出力する画像情報出力手段を備えることを特徴とする。
【０００９】
請求項４に記載の発明は、
請求項１〜３の何れか一項に記載の証明写真撮影装置において、
前記情報媒体は、障害者用の杖に備えられていることを特徴とする。
【００１０】
請求項５に記載の発明は、
請求項１〜４の何れか一項に記載の証明写真撮影装置において、
前記情報媒体は、携帯端末に備えられていることを特徴とする。
【００１１】
請求項６に記載の発明は、
請求項５に記載の証明写真撮影装置において、
前記取得手段により前記情報媒体から特定の被撮影者情報が取得された場合に、前記携帯端末による動作指示に従って、当該証明写真撮影装置の所定の動作を制御する動作制御手段を備えることを特徴とする。
【００１２】
請求項７に記載の発明は、
請求項１〜５の何れか一項に記載の証明写真撮影装置において、
前記取得手段により前記情報媒体から特定の被撮影者情報が取得された場合に、前記被撮影者の声による動作指示に従って、当該証明写真撮影装置の特定の動作を制御する動作制御手段を備えることを特徴とする。
【００１３】
請求項８に記載の発明において、
請求項１〜７の何れか一項に記載の証明写真撮影装置において、
前記情報媒体は、身分証明書であること、或いは、当該身分証明書に備えられていることを特徴とする。
【００１４】
請求項９に記載の発明は、
請求項８に記載の証明写真撮影装置において、
前記身分証明書は、発行申請時に証明写真の提出が必要な身分証明書であり、
前記取得手段は、前記身分証明書から、当該身分証明書の種類を判別するための判別情報を取得し、
前記取得手段により前記判別情報が取得された場合に、当該判別情報によって判別される身分証明書の発行申請時に必要な証明写真を、前記作成手段に作成させる作成制御手段を備えることを特徴とする。
【発明の効果】
【００１５】
請求項１に記載の発明によれば、被撮影者情報に基づいて被撮影者の分類を特定し、当該特定された被撮影者の分類に対応する支援情報を出力させることができる。すなわち、被撮影者に対して操作案内や操作補助をするための支援情報の内容を、被撮影者に応じて切り替えることができる。
【００１６】
請求項２に記載の発明によれば、請求項１に記載の発明と同様の効果が得られることは無論のこと、音声によって、被撮影者に応じた支援をすることができる。したがって、被撮影者は、視覚に障害を持っている場合等であっても、スムーズに好適な証明写真を得ることができる。
【００１７】
請求項３に記載の発明によれば、請求項１又は２に記載の発明と同様の効果が得られることは無論のこと、画像によって、被撮影者に応じた支援をすることができる。したがって、被撮影者は、聴覚に障害を持っている場合等であっても、スムーズに好適な証明写真を得ることができる。
【００１８】
請求項４に記載の発明によれば、請求項１〜３の何れか一項に記載の発明と同様の効果が得られることは無論のこと、情報媒体は、障害者用の杖に備えられている。すなわち、例えば、視覚障害者が外出時に所持する白杖等に情報媒体が備えられている。したがって、わざわざ特別な物を所持等しなくてもよいため、被撮影者にとって利便性が高い。
【００１９】
請求項５に記載の発明によれば、請求項１〜４の何れか一項に記載の発明と同様の効果が得られることは無論のこと、情報媒体は、携帯端末に備えられている。すなわち、普及率が高く且つ外出時に所持し易い携帯端末に情報媒体が備えられている。したがって、わざわざ特別な物を所持等しなくてもよいため、被撮影者にとって利便性が高い。
【００２０】
請求項６に記載の発明によれば、請求項５に記載の発明と同様の効果が得られることは無論のこと、被撮影者は、携帯端末を用いて、証明写真撮影装置に動作指示を与えることができる。したがって、例えば、所定の障害を持っているために、証明写真撮影装置に備えられた操作部の操作が困難であっても、当該操作部を操作することなく、携帯端末を用いて証明写真撮影装置に動作指示を与えて証明写真を得ることができるため、被撮影者にとって利便性が高い。
【００２１】
請求項７に記載の発明によれば、請求項１〜５の何れか一項に記載の発明と同様の効果が得られることは無論のこと、被撮影者は、自身の声を用いて、証明写真撮影装置に動作指示を与えることができる。したがって、例えば、所定の障害を持っているために、証明写真撮影装置に備えられた操作部の操作が困難であっても、当該操作部を操作することなく、自身の声を用いて証明写真撮影装置に動作指示を与えて証明写真を得ることができるため、被撮影者にとって利便性が高い。
【００２２】
請求項８に記載の発明によれば、請求項１〜７の何れか一項に記載の発明と同様の効果が得られることは無論のこと、情報媒体は、身分証明書自体である、或いは、身分証明書に備えられている。すなわち、身体障害者手帳や免許証、パスポートなどが情報媒体である、或いは、身体障害者手帳や免許証、パスポートなどに情報媒体が備えられている。したがって、わざわざ特別な物を所持等しなくてもよいため、被撮影者にとって利便性が高い。
【００２３】
請求項９に記載の発明によれば、請求項８に記載の発明と同様の効果が得られることは無論のこと、証明写真撮影時に被撮影者が所持している身分証明書用の証明写真を作成することができる。すなわち、証明写真のサイズ等を指定しなくても、身分証明書を所持していれば、当該身分証明書の発行申請時に必要な証明写真として最適な証明写真を得ることができるため、被撮影者にとって利便性が高い。
【発明を実施するための最良の形態】
【００２４】
以下、図を参照して、本発明にかかる証明写真撮影装置の最良の形態を詳細に説明する。なお、発明の範囲は、図示例に限定されない。
【００２５】
＜証明写真撮影装置の構成＞
まず、証明写真撮影装置１の構成について、図１及び２を参照して説明する。
証明写真撮影装置１は、例えば、被撮影者Ｍを撮影して画像データを生成する撮影手段としてのデジタルカメラ３０と、デジタルカメラ３０により生成された画像データに基づいて被撮影者Ｍの証明写真を作成する作成手段としてのプリンタ部８０と、等を備える装置である。
【００２６】
具体的には、証明写真撮影装置１は、例えば、図１に示すように、ボックス型に形成されており、例えば、証明写真撮影装置１の外壁には、作成された証明写真を取り出すための取出口８１が設置されている。
また、例えば、証明写真撮影装置１の内部には、撮影室１ａが設置されている。
【００２７】
撮影室１ａには、例えば、被撮影者Ｍが座る椅子１ｂが回転可能に設置されており、椅子１ｂは回転によって昇降するように構成されている。
また、例えば、撮影室１ａにおける被撮影者Ｍの上方、正面及び背面に相当する位置には、それぞれ、照明用のストロボ２０ａが設置されている。
また、例えば、被撮影者Ｍが撮影室１ａ内に入室したことを検出するための入室センサ５０と、撮影料金を精算するためのコインメック６０と、被撮影者Ｍが証明写真撮影装置１に対して動作指示を入力するための操作ボタン７１やタッチパネル７２と、などが設置されている。
【００２８】
また、例えば、撮影室１ａにおける被撮影者Ｍの正面に相当する位置には、操作案内や操作補助などに関する被撮影者Ｍを支援するための音声ガイダンスを出力する音声出力部４１と、操作案内や操作補助などに関する被撮影者Ｍを支援するための画像ガイダンスを出力したり或いは撮影された証明写真画像を表示する画像表示部４２と、が設置されている。
【００２９】
また、例えば、撮影室１ａにおける被撮影者Ｍの正面、手元、足元等に相当する位置には、それぞれ、被撮影者Ｍに関する被撮影者情報等を備えた情報媒体としてのＩＣチップから、当該被撮影者情報を取得する取得手段としての読取部９０が設置されている。
【００３０】
ＩＣチップは、例えば、障害者用の杖（白杖等）、携帯端末、身分証明書等に備えられている。
【００３１】
また、ＩＣチップは、例えば、被撮影者Ｍに関する被撮影者情報を記憶している。
具体的には、被撮影者情報には、例えば、被撮影者Ｍが身体障害者である旨の情報、被撮影者Ｍの個人情報（年齢や国籍など）等が含まれる。
【００３２】
また、発行申請時に証明写真の提出が必要な身分証明書に備えられたＩＣチップの中には、例えば、被撮影者情報とともに、当該身分証明書の種類を判別するための判別情報を記憶しているＩＣチップもある。
【００３３】
証明写真撮影装置１は、例えば、図２に示すように、本体部１０と、ストロボユニット２０と、デジタルカメラ３０と、出力部４０と、入室センサ５０と、コインメック６０と、操作部７０と、プリンタ部８０と、読取部９０と、等を備えて構成される。
【００３４】
ストロボユニット２０は、例えば、本体部１０から入力される制御信号に従って、撮影室１ａ内の各位置に設置されたストロボ２０ａの発光タイミングや発光量を制御する。
【００３５】
デジタルカメラ３０は、例えば、光学レンズと、ＣＣＤ（Charge Coupled Device）やＣＭＯＳ（Complementary Metal-Oxide Semiconductor）などの撮像素子と、Ａ／Ｄ変換部と、等から構成される。
具体的には、デジタルカメラ３０は、例えば、本体部１０から入力される制御信号に従って、光学レンズを介して入力された被写体像を撮像素子により光電変換してアナログ画像信号を生成し、そして、Ａ／Ｄ変換部により当該アナログ画像信号からデジタルの画像データを生成して、当該画像データを本体部１０に出力する。
なお、デジタルカメラ３０に代えて、動画を記録可能なデジタルビデオカメラ等を適用するようにしてもよい。
【００３６】
出力部４０は、例えば、本体部１０から入力される制御信号に従って、支援情報出力手段として、被撮影者Ｍを支援するための支援情報を、所定の被撮影者Ｍの分類毎に異ならせて出力する。
具体的には、出力部４０は、例えば、図２に示すように、音声出力部４１と、画像表示部４２と、等を備えている。
【００３７】
音声出力部４１は、例えば、スピーカ機器等から構成されており、例えば、本体部１０から入力される制御信号に従って、音声情報出力手段として、支援情報が有する、被撮影者に対して所定の操作に関する支援を行うための音声情報としての音声ガイダンス等を出力する。
【００３８】
画像表示部４２は、例えば、液晶表示機器等から構成されており、例えば、本体部１０から入力される制御信号に従って、画像情報出力手段として、支援情報が有する、被撮影者に対して所定の操作に関する支援を行うための画像情報としての画像ガイダンス等を出力する。
【００３９】
入室センサ５０は、例えば、被撮影者Ｍが撮影室１ａ内に入室したことを検出するためのものであり、被撮影者Ｍの入室を検出すると、その検出信号を本体部１０に出力する。
なお、入室センサ５０としては、例えば、発光器と受光器とからなる光学式センサ等が適用可能である。
【００４０】
コインメック６０は、例えば、硬貨や紙幣の入金口や釣銭の返金口などを備えた金銭登録機である。コインメック６０は、例えば、入金口から入金された金額に関する情報を本体部１０に出力するとともに、本体部１０から入力される制御信号に従って金銭額に応じた硬貨や紙幣を返金口に排出する。
【００４１】
操作部７０は、例えば、撮影室１ａの内壁に備えられた操作ボタン７１、画像表示部４２と一体的に構成されたタッチパネル７２等から構成されており、例えば、被撮影者Ｍにより操作されると、所定の動作指示を本体部１０に入力する。
そして、本体部１０は、操作部７０から所定の動作指示が入力されると、当該所定の動作指示に従って、証明写真撮影装置１の所定の動作を制御する。
【００４２】
プリンタ部８０は、例えば、本体部１０から入力される制御信号に従って、デジタルカメラ３０により撮影されて生成された画像データに基づく画像を所定の用紙に印画して、証明写真を作成する。
なお、プリンタ部８０のプリント方式としては、昇華型熱転写方式や、溶融転写記録方式、電子写真方式、インクジェット方式などを適用してもよいし、その他のプリント方式を適用してもよい。また、銀塩写真像を形成する方式を適用してもよい。
【００４３】
読取部９０は、例えば、リーダ／ライタユニット等から構成されており、例えば、被撮影者Ｍが所持等する物に備えられたＩＣチップから、被撮影者情報や判別情報を取得して、当該被撮影者情報や判別情報を本体部１０に出力する。
【００４４】
本体部１０は、例えば、制御部１１と、Ｉ／Ｏ（Input/Output）コントロール１２と、Ｉ／Ｆ（InterFace）１３と、ＤＶＤ（Digital Versatile Disk）記憶部１４と、ＲＡＭ（Random Access Memory）１５と、ＲＯＭ（Read Only Memory）１６と、等を備えて構成される。そして、本体部１０は、例えば、Ｉ／Ｏコントロール１２を介して、ストロボユニット２０、コインメック６０、操作部７０等と接続しており、Ｉ／Ｆ１３を介して、プリンタ部８０等と接続している。
【００４５】
制御部１１は、例えば、証明写真撮影装置１の各部を集中制御する。
具体的には、制御部１１は、例えば、ＲＯＭ１６に記憶された証明写真撮影装置１用の各種処理プログラムに従って各種の制御動作を行う。
【００４６】
Ｉ／Ｏコントロール１２は、例えば、ストロボユニット２０、コインメック６０、操作部８０等との間で各種情報を入出力するためのインターフェイスである。
【００４７】
Ｉ／Ｆ１３は、例えば、プリンタ部８０との間で各種情報を入出力するためのインターフェイスである。
【００４８】
ＤＶＤ記憶部１４は、例えば、デジタルカメラ３０により撮影されて生成された画像データ等を記憶する。
【００４９】
ＲＡＭ１５は、例えば、制御部１１によって実行される処理プログラム等を展開するためのプログラム格納領域や、入力データや上記処理プログラムが実行される際に生じる処理結果等を格納するデータ格納領域などを備える。
【００５０】
ＲＯＭ１６は、例えば、証明写真撮影装置１で実行可能なシステムプログラム、当該システムプログラムで実行可能な各種修理プログラム、これら各種処理プログラムを実行する際に使用されるデータ、制御部１１によって演算処理された処理結果のデータ等を記憶する。なお、プログラムは、コンピュータが読み取り可能なプログラムコードの形でＲＯＭ１６に記憶されている。
具体的には、ＲＯＭ１６は、例えば、図２に示すように、動作制御プログラム１６ａ１と、出力制御プログラム１６ａ２と、作成制御プログラム１６ａ３と、支援情報データテーブル１６ｂ１と、等を記憶している。
【００５１】
動作制御プログラム１６ａ１は、例えば、読取部９０により被撮影者Ｍが所持等する物に備えられたＩＣチップから特定の被撮影者情報が取得された場合に、被撮影者Ｍの声による動作指示に従って、証明写真撮影装置１の特定の動作を制御する機能を、制御部１１に実現させる。
ここで、特定の被撮影者情報とは、例えば、被撮影者Ｍが上肢障害者である旨の情報等を含む被撮影者情報である。
具体的には、例えば、読取部９０により被撮影者Ｍが上肢障害者である旨の情報等を含む被撮影者情報が取得されると、制御部１１は、操作部７０からの動作指示に従って証明写真撮影装置１の特定の動作を制御するモードから、被撮影者Ｍの声による動作指示に従って証明写真撮影装置１の特定の動作を制御するモードに切り替えて、動作制御プログラム１６ａ１を実行する。
制御部１１は、かかる動作制御プログラム１６ａ１を実行することによって、動作制御手段として機能する。
【００５２】
出力制御プログラム１６ａ２は、例えば、読取部９０により取得された被撮影者情報に基づいて被撮影者Ｍの分類を特定し、当該特定された被撮影者Ｍの分類に対応する支援情報を、支援情報データテーブル１６ｂ１から抽出して出力部４０に出力させる機能を、制御部１１に実現させる。
【００５３】
具体的には、制御部１１は、例えば、読取部９０により取得された被撮影者情報に、被撮影者Ｍが身体障害者（視覚障害者、聴覚障害者、上肢障害者等）である旨の情報が含まれる場合には、被撮影者Ｍは身体障害者（視覚障害者、聴覚障害者、上肢障害者等）であると特定する。そして、制御部１１は、例えば、被撮影者Ｍは視覚障害者であると特定した場合には、支援情報データテーブル１６ｂ１から、視覚障害者用の支援情報（後述）を抽出し、例えば、被撮影者Ｍは聴覚障害者であると特定した場合には、支援情報データテーブル１６ｂ１から、聴覚障害者用の支援情報（後述）を抽出し、例えば、被撮影者Ｍは上肢障害者であると特定した場合には、支援情報データテーブル１６ｂ１から、上肢障害者用の支援情報（後述）を抽出する。
【００５４】
また、制御部１１は、例えば、読取部９０により取得された被撮影者情報に含まれる個人情報から、被撮影者Ｍの年齢は所定の年齢以上（例えば、７０歳以上）であると判定された場合には、被撮影者Ｍはお年寄りであると特定する。そして、制御部１１は、例えば、支援情報データテーブル１６ｂ１から、お年寄り用の支援情報（後述）を抽出する。
【００５５】
また、制御部１１は、例えば、読取部９０により取得された被撮影者情報に含まれる個人情報から、被撮影者Ｍの国籍は外国であると判定された場合には、被撮影者Ｍは外国人であると特定する。そして、制御部１１は、例えば、支援情報データテーブル１６ｂ１から、外国人用の支援情報（後述）を抽出する。
制御部１１は、かかる出力制御プログラム１６ａ２を実行することによって、出力制御手段として機能する。
【００５６】
作成制御プログラム１６ａ３は、例えば、デジタルカメラ３０により撮影されて生成された画像データに所定の証明写真用の処理を施し、そして、プリンタ部８０を制御して、当該画像データに基づく画像を所定の用紙に印画させて、証明写真を作成させる機能を、制御部１１に実現させる。
【００５７】
具体的には、制御部１１は、例えば、被撮影者Ｍにより操作部７０を介して指定されたサイズ等の証明写真を、プリンタ部８０に作成させる。
【００５８】
また、制御部１１は、例えば、読取部９０により被撮影者Ｍが上肢障害者である旨の情報等を含む被撮影者情報が取得された場合には、被撮影者Ｍにより被撮影者Ｍの声を介して指定されたサイズ等の証明写真を、プリンタ部８０に作成させる。
【００５９】
また、制御部１１は、例えば、読取部９０により判別情報が取得された場合に、当該判別情報によって判別される身分証明書の発行申請時（例えば、再発行申請時）に必要な証明写真を、プリンタ部８０に作成させる。
すなわち、例えば、被撮影者Ｍが、音声ガイダンスや画像ガイダンスに従って身分証明書を読取部９０にかざし、それに伴って、読取部９０が、当該身分証明書に備えられたＩＣチップから判別情報を取得すると、制御部１１は、当該取得された判別情報から当該身分証明書の種類を判別する。そして、制御部１１は、例えば、当該身分証明書は身体障害者手帳であると判別した場合には、身体障害者手帳の再発行申請時に提出するための証明写真をプリンタ部８０に作成させ、例えば、当該身分証明書は免許証であると判別した場合には、免許証の再発行申請時に提出するための証明写真をプリンタ部８０に作成させ、例えば、当該身分証明書はパスポートであると判別した場合には、パスポートの再発行申請時に提出するための証明写真をプリンタ部８０に作成させる。
【００６０】
したがって、被撮影者Ｍは、所持している身分証明書の再発行申請時に必要な証明写真を証明写真撮影装置１において得たい場合には、音声ガイダンスや画像ガイダンスに従って身分証明書を読取部９０にかざせばよいし、得たくない場合には、操作部７０や自身の声を介して、証明写真のサイズ等を指定すればよい。
制御部１１は、かかる作成制御プログラム１６ａ３を実行することによって、作成制御手段として機能する。
【００６１】
支援情報データテーブル１６ｂ１は、例えば、被撮影者Ｍを支援するための支援情報を、所定の被撮影者Ｍの分類毎に記憶している。
ここで、所定の被撮影者Ｍの分類とは、例えば、被撮影者Ｍの障害の種類、被撮影者Ｍの年齢、被撮影者Ｍの国籍等に基づく分類である。
すなわち、支援情報データテーブル１６ｂ１は、例えば、一般用の支援情報と、視覚障害者用の支援情報と、聴覚障害者用の支援情報と、上肢障害者用の支援情報と、お年寄り用の支援情報と、外国人用の支援情報と、等を記憶している。
【００６２】
視覚障害者用の支援情報では、一般用の支援情報よりも、例えば、詳しい内容の音声ガイダンスが出力されるようになっている。
【００６３】
また、聴覚障害者用の支援情報では、一般用の支援情報よりも、例えば、大きな音量の音声ガイダンスが出力されるようになっており、さらに、一般用の支援情報よりも、例えば、詳しい内容の画像ガイダンスが出力されるようになっている。
【００６４】
また、上肢障害者用の支援情報では、被撮影者Ｍの声によって証明写真撮影装置１に動作指示をさせるための音声ガイダンスや画像ガイダンスが出力されるようになっている。
【００６５】
また、お年寄り用の支援情報では、一般用の支援情報よりも、例えば、大きな音量の音声ガイダンスが出力されるようになっており、さらに、一般用の支援情報よりも、例えば、大きな文字の画像ガイダンスが出力されるようになっている。
【００６６】
また、外国人用の支援情報では、被撮影者Ｍの国籍に応じた言語の音声ガイダンスや画像ガイダンスが出力されるようになっている。
【００６７】
＜証明写真作成処理＞
次に、証明写真撮影装置１による証明写真の作成に関する処理について、図３のフローチャートを参照して説明する。
【００６８】
まず、入室センサ５０が被撮影者Ｍの入室を検出すると（ステップＳ１）、制御部１１は、読取部９０が被撮影者情報を取得したか否かを判断する（ステップＳ２）。
【００６９】
ステップＳ２で、読取部９０が被撮影者情報を取得していないと判断すると（ステップＳ２；Ｎｏ）、制御部１１は、出力制御プログラム１６ａ２を実行して、一般用の支援情報を、支援情報データテーブル１６ｂ１から抽出し（ステップＳ３）、ステップＳ５の処理に移行する。
【００７０】
一方、ステップＳ２で、読取部９０が被撮影者情報を取得したと判断すると（ステップＳ２；Ｙｅｓ）、制御部１１は、出力制御プログラム１６ａ２を実行して、当該取得された被撮影者情報に応じて被撮影者Ｍの分類を特定し、当該特定された被撮影者Ｍの分類に対応する支援情報を、支援情報データテーブル１６ｂ１から抽出する（ステップＳ４）。
【００７１】
次いで、制御部１１は、出力部４０を制御して、当該抽出された支援情報の出力を開始させる（ステップＳ５）。
【００７２】
次いで、制御部１１は、当該取得された被撮影者情報が特定の被撮影者情報であるか否かを判断する（ステップＳ６）。すなわち、制御部１１は、当該取得された被撮影者情報に被撮影者Ｍが上肢障害者である旨の情報等が含まれているか否かを判断する。
【００７３】
ステップＳ６で、当該取得された被撮影者情報が特定の被撮影者情報でないと判定すると（ステップＳ６；Ｎｏ）、制御部１１は、ステップＳ８の処理に移行する。
【００７４】
一方、ステップＳ６で、当該取得された被撮影者情報が特定の被撮影者情報であると判定すると（ステップＳ６；Ｙｅｓ）、制御部１１は、被撮影者Ｍの声による動作指示に従って、証明写真撮影装置１の特定の動作を制御するモードに切り替えて、動作制御プログラム１６ａ１を実行する（ステップＳ７）。
【００７５】
次いで、制御部１１は、デジタルカメラ３０を制御して、被撮影者Ｍを撮影させて画像データを生成させる（ステップＳ８）。
【００７６】
次いで、制御部１１は、読取部９０が判別情報を取得したか否かを判断する（ステップＳ９）。
【００７７】
ステップＳ９で、読取部９０が判別情報を取得していないと判断すると（ステップＳ９；Ｎｏ）、制御部１１は、作成制御プログラム１６ａ３を実行して、操作部７０又は被撮影者Ｍの声を介して被撮影者Ｍが指定したサイズ等の証明写真を、プリンタ部８０に作成させ（ステップＳ１０）、本処理を終了する。
【００７８】
一方、ステップＳ９で、読取部９０が判別情報を取得したと判断すると（ステップＳ９；Ｙｅｓ）、制御部１１は、作成制御プログラム１６ａ３を実行して、当該判別情報によって判別される身分証明書の再発行申請時に提出するための証明写真を、プリンタ部８０に作成させ（ステップＳ１１）、本処理を終了する。
【００７９】
以上説明した本発明における証明写真撮影装置１によれば、被撮影者Ｍを撮影して画像データを生成するデジタルカメラ３０と、デジタルカメラ３０により生成された画像データに基づいて被撮影者Ｍの証明写真を作成するプリンタ部８０と、を備え、出力部４０によって、被撮影者Ｍに対して所定の操作に関する支援を行うための支援情報を、所定の被撮影者Ｍの分類毎に異ならせて出力することができ、読取部９０によって、被撮影者Ｍに関する被撮影者情報を備えたＩＣチップから、被撮影者情報を取得することができ、出力制御手段によって、読取部９０により取得された被撮影者情報に基づいて被撮影者Ｍの分類を特定し、当該特定された被撮影者Ｍの分類に対応する支援情報を、出力部４０に出力させることができる。すなわち、被撮影者Ｍに対して操作案内や操作補助をするための支援情報の内容を、被撮影者に応じて切り替えることができる。
【００８０】
また、支援情報は、被撮影者Ｍを支援するための音声ガイダンスを出力するための音声情報を有し、出力部４０は、所定の操作に関して音声ガイダンスを出力する音声出力部４１を備えているため、音声ガイダンスによって、被撮影者に応じた支援をすることができる。したがって、従って、被撮影者Ｍは、視覚に障害を持っている場合等であっても、スムーズに好適な証明写真を得ることができる。
【００８１】
また、支援情報は、被撮影者Ｍを支援するための画像ガイダンスを出力するための画像情報を有し、出力部４１は、所定の操作に関して画像ガイダンスを出力する画像表示部４２を備えているため、画像ガイダンスによって、被撮影者に応じた支援をすることができる。したがって、被撮影者Ｍは、聴覚に障害を持っている場合等であっても、スムーズに好適な証明写真を得ることができる。
【００８２】
また、ＩＣチップは、障害者用の杖、携帯端末、身分証明書等に備えられている。すなわち、例えば、視覚障害者が外出時に所持する白杖等、普及率が高く且つ外出時に所持し易い携帯端末、身体障害者手帳や免許証、パスポートなどの身分証明書等にＩＣチップが備えられている。したがって、わざわざ特別な物を所持等しなくてもよいため、被撮影者Ｍにとって利便性が高い。
【００８３】
また、動作制御プログラム１６ａ１を実行した制御部１１によって、読取部９０により被撮影者Ｍが所持等する物に備えられたＩＣチップから特定の被撮影者情報（例えば、被撮影者Ｍが上肢障害者である旨の情報等を含む被撮影者情報）が取得された場合に、被撮影者の声による動作指示に従って、証明写真撮影装置１の特定の動作を制御することができる。すなわち、被撮影者Ｍは、自身の声を用いて、証明写真撮影装置１に動作指示を与えることができる。したがって、例えば、所定の障害（例えば、上肢障害等）を持っているために、証明写真撮影装置１に備えられた操作部７０の操作が困難であっても、操作部７０を操作することなく、自身の声を用いて証明写真撮影装置１に動作指示を与えて証明写真を得ることができるため、被撮影者Ｍにとって利便性が高い。
【００８４】
また、身分証明書が、発行申請時に証明写真の提出が必要な身分証明書であり、そして、読取部９０が、当該身分証明書から、当該身分証明書の種類を判別するための判別情報を取得した場合に、作成制御プログラム１６ａ３を実行した制御部１１によって、読取部９０により判別情報が取得された場合に、当該判別情報によって判別される身分証明書の発行申請時に必要な証明写真を、プリンタ部９０に作成させる。すなわち、被撮影者Ｍは、操作部７０を介して証明写真のサイズ等を指定しなくても、身分証明書を所持していれば、当該身分証明書の発行申請時に必要な証明写真として最適なサイズ等を有する証明写真を得ることができるため、被撮影者Ｍにとって利便性が高い。
【００８５】
なお、本発明は、上記した実施の形態のものに限るものではなく、その要旨を逸脱しない範囲で適宜変更可能である。
【００８６】
リーダ／ライタユニット等から構成される読取部９０によって、被撮影者情報や判別情報を取得するようにしたが、この限りではない。
例えば、読取部９０を被撮影者Ｍが所持等する物と無線通信可能な構成にしておき、当該無線通信によって、被撮影者情報や判別情報を取得するようにしてもよい。この場合、被撮影者Ｍが所持等する物に備えられた無線通信部が、情報媒体となる。
また、例えば、読取部９０をスキャナ等から構成しておき、被撮影者Ｍが所持等する物に印字された被撮影者情報や判別情報を読み取ることによって被撮影者情報や判別情報を取得したり、或いは、被撮影者Ｍが所持する物（身分証明書）全体の画像を読み取ることによって判別情報を取得するようにしてもよい。この場合、被撮影者Ｍが所持等する物に印字された文字、或いは、身分証明書全体が、情報媒体となる。
【００８７】
出力部４０に点字案内機能を備えておき、被撮影者Ｍが、例えば、視覚障害者であると特定された場合に、当該点字案内機能を起動して、点字によって被撮影者を支援するようにしてもよい。
また、出力部４０にバイブレーション機能を備えておき、被撮影者Ｍが、例えば、聴覚障害者であると特定された場合に、当該バイブレーション機能を起動して、振動によって被撮影者を支援するようにしてもよい。
【００８８】
読取部９０により判別情報が取得された場合に、身分証明書に応じた証明写真を作成するだけでなく、例えば、当該身分証明書の再発行申請時に提出する申請書のフォーマットを記憶しておき、デジタルカメラ３０により撮影されて生成された画像データと当該記憶されたフォーマットとから、身分証明書に応じた証明写真が印画された申請書を作成するようにしてもよい。
また、当該申請書に記入すべき個人情報（例えば、氏名や住所など）が、被撮影者情報に含まれていた場合には、証明写真が印画され、個人情報が印字された申請書を作成するようにしてもよい。
【００８９】
情報媒体としてのＩＣチップを備える物は、障害者用の杖（白杖等）、携帯端末、身分証明書の限りでなく、例えば、車椅子等であってもよく、任意である。
【００９０】
＜変形例＞
以下に、証明写真撮影装置１の変形例（証明写真撮影装置１Ａ）を、図４に示す。
なお、変形例にかかる証明写真撮影装置１Ａは、携帯端末と通信可能な通信部９５Ａを備えている点と、動作制御プログラム１６ａ１に代えて動作制御プログラム１６ａ１Ａを備えている点と、が証明写真撮影装置１と異なる。
動作制御プログラム１６ａ１Ａは、例えば、読取部９０により被撮影者Ｍが所持する携帯端末に備えられたＩＣチップから特定の被撮影者情報が取得された場合に、通信部９５Ａにより受信される当該携帯端末による動作指示に従って、証明写真撮影装置１の所定の動作を制御する機能を、制御部１１に実現させる。
制御部１１は、かかる動作制御プログラム１６ａ１Ａを実行することによって、動作制御手段として機能する。
変形例にかかる証明写真撮影装置１Ａによれば、被撮影者Ｍは、携帯端末を用いて、証明写真撮影装置１Ａに動作指示を与えることができる。したがって、例えば、所定の障害（例えば、上肢障害等）を持っているために、証明写真撮影装置１Ａに備えられた操作部７０の操作が困難であっても、操作部７０を操作することなく、携帯端末を用いて証明写真撮影装置１Ａに動作指示を与えて証明写真を得ることができるため、被撮影者Ｍにとって利便性が高い。
【図面の簡単な説明】
【００９１】
【図１】本発明にかかる証明写真撮影装置を示す透視図である。
【図２】本発明にかかる証明写真撮影装置の機能的構成を示すブロック図である。
【図３】本発明にかかる証明写真撮影装置による証明写真の作成に関する処理を説明するためのフローチャートである。
【図４】変形例にかかる証明写真撮影装置の機能的構成を示すブロック図である。
【符号の説明】
【００９２】
１，１Ａ  証明写真撮影装置
１１  制御部（動作制御手段、出力制御手段、作成制御手段）
１６ａ１，１６ａ１Ａ  動作制御プログラム（動作制御手段）
１６ａ２  出力制御プログラム（出力制御手段）
１６ａ３  作成制御プログラム（作成制御手段）
３０  デジタルカメラ（撮影手段）
４０  出力部（支援情報出力手段）
４１  音声出力部（音声情報出力手段）
４２  画像表示部（画像情報出力手段）
８０  プリンタ部（作成手段）
９０  読取部（取得手段）
Ｍ  被撮影者
【図１】
2007322521.tif 000003
【図２】
2007322521.tif 000004
【図３】
2007322521.tif 000005
【図４】
2007322521.tif 000006